(57)【要約】【課題】違和感が低減された表示像を再現することができる照明装置を提供する。【解決手段】照明装置１は、造営材に埋め込まれる埋込型の照明装置１であって、基板２１及び基板２１に配置された複数の発光素子２２を有する発光モジュール２０と、透光性を有し、発光モジュール２０を覆う光拡散部材４０と、発光モジュール２０と光拡散部材４０との間に配置された鏡面反射層２３と、を備える。発光モジュール２０は、光拡散部材４０に向けて光を出射し、鏡面反射層２３は、光拡散部材４０からの光を反射する。【選択図】図４
2018163869.tif 000002
【特許請求の範囲】
【請求項１】
造営材に埋め込まれる埋込型の照明装置であって、
基板及び前記基板に配置された複数の発光素子を有する発光モジュールと、
透光性を有し、前記発光モジュールを覆う光拡散部材と、
前記発光モジュールと前記光拡散部材との間に配置された鏡面反射部材と、を備え、
前記発光モジュールは、前記光拡散部材に向けて光を出射し、
前記鏡面反射部材は、前記光拡散部材からの光を反射する
照明装置。
【請求項２】
前記鏡面反射部材は、前記基板の前記光拡散部材側の面に配置された鏡面反射層である
請求項１に記載の照明装置。
【請求項３】
前記鏡面反射部材は、前記複数の発光素子に対応する位置に複数の孔を有する金属板である
請求項１に記載の照明装置。
【請求項４】
前記複数の発光素子のうちの隣り合う２つの発光素子のピッチをｄ、前記複数の発光素子からの出射光の１／２ビーム角をθ、前記基板と前記鏡面反射部材との距離をｈとした場合、前記孔の半径ｒは、
ｄ／２＞ｒ＞ｈ×ｔａｎθ
なる関係式により規定される
請求項３に記載の照明装置。
【請求項５】
前記光拡散部材の前記発光モジュール側の面は、平滑な面である
請求項１〜４のいずれか１項に記載の照明装置。
【請求項６】
前記光拡散部材の前記発光モジュールとは逆側の面に、反射防止層を有する
請求項１〜５のいずれか１項に記載の照明装置。
【発明の詳細な説明】
【技術分野】
【０００１】
本発明は、室内から窓を通して空を見るような感覚を疑似体験させるための照明装置に関する。
【背景技術】
【０００２】
従来、映像を表示する表示手段（液晶表示装置）と、照明領域に出射光を照射する発光手段（バックライト）と、映像を生成する映像生成手段とを備えた照明装置が開示されている（例えば特許文献１参照）。この照明装置では表示手段と発光手段とにより、光が差し込む照明環境を造りだしている（再現している）。
【先行技術文献】
【特許文献】
【０００３】
【特許文献１】特開２０１３−９２６１６号公報
【発明の概要】
【発明が解決しようとする課題】
【０００４】
ところで、照明装置が再現する表示像（例えば、空模様）は、違和感なく再現されることが望まれる。例えば、照明装置が再現する表示像が平面的であると、ユーザは室内から窓を通して空を見ているように感じることが出来にくい。言い換えると、ユーザは、照明装置が再現する表示像に違和感を感じる。
【０００５】
そこで、本発明は、違和感が低減された表示像を再現することができる照明装置を提供することを目的とする。
【課題を解決するための手段】
【０００６】
上記目的を達成するため、本発明の一態様に係る照明装置は、造営材に埋め込まれる埋込型の照明装置であって、基板及び前記基板に配置された複数の発光素子を有する発光モジュールと、透光性を有し、前記発光モジュールを覆う光拡散部材と、前記発光モジュールと前記光拡散部材との間に配置された鏡面反射部材と、を備え、前記発光モジュールは、前記光拡散部材に向けて光を出射し、前記鏡面反射部材は、前記光拡散部材からの光を反射する。
【発明の効果】
【０００７】
本発明の一態様に係る照明装置によれば、違和感が低減された表示像を再現することができる。
【図面の簡単な説明】
【０００８】
【図１】実施の形態１に係る照明装置の外観を示す斜視図である。
【図２】実施の形態１に係る照明装置の筐体を除いた外観を示す斜視図である。
【図３】実施の形態１に係る照明装置の分解斜視図である。
【図４】図２のＩＶ−ＩＶ線における、実施の形態１に係る照明装置の断面図である。
【図５】反射防止層の有無による光拡散部材への立ち上がり部の映り込みを説明するための図である。
【図６】実施の形態１に係る照明装置の設置例を示すイメージ図である。
【図７Ａ】図２のＩＶ−ＩＶ線に対応する、実施の形態２に係る照明装置の断面図である。
【図７Ｂ】図７Ａの破線領域における実施の形態２に係る照明装置の拡大断面図である。
【図８】図２から光拡散部材を省略した状態での、実施の形態２に係る照明装置を示す部分平面図である。
【発明を実施するための形態】
【０００９】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
また、「略＊＊」との記載は、「略矩形状」を例に挙げて説明すると、完全な矩形状はもとより、実質的に矩形状と認められるものを含む意図である。
【００１１】
また、各図は、模式図であり、必ずしも厳密に図示されたものではない。また、各図において、実質的に同一の構成に対しては同一の符号を付しており、重複する説明は省略又は簡略化される場合がある。
【００１２】
また、以下の実施の形態で説明に用いられる図面においては座標軸が示される場合がある。Ｚ軸のマイナス側が床面側、Ｚ軸のプラス側が天井側を表している。また、Ｘ軸方向及びＹ軸方向は、Ｚ軸方向に垂直な平面上において、互いに直交する方向である。Ｘ−Ｙ平面は、照明装置が備える光拡散部材に平行な平面である。例えば、以下の実施の形態において、「平面視」とは、Ｚ軸方向から見ることを意味する。また、例えば、以下の実施の形態において、「断面視」とは、切断線を含む面で切断された照明装置を切断された面に対して垂直方向側から見ることを意味している。例えば、Ｙ軸とＺ軸とで規定された平面（切断線で切断された面の一例）で切断された場合、断面視とは当該断面をＸ軸方向側から見ることを意味している。
【００１３】
（実施の形態１）
以下、本実施の形態に係る照明装置について、図１〜図６を参照しながら説明する。本実施の形態に係る照明装置は、ユーザに室内から窓を通して空を見るような感覚を疑似体験させるための装置である。例えば、照明装置は屋内に設置され、屋内の窓から自然の空（例えば、青空又は夕焼けなど）を模した光（以降、疑似屋外光と記載する）を疑似的に演出する。なお、本実施の形態では、照明装置は天井（造営材の一例）に埋め込まれている場合について説明する。また、本願明細書中では、可視光を、単に光を記載する場合がある。
【００１４】
［１．照明装置の構成］
まず、本実施の形態に係る照明装置の構成について、図１〜図３を参照しながら説明する。図１は、本実施の形態に係る照明装置１の外観を示す斜視図である。図２は、本実施の形態に係る照明装置１の筐体１０を除いた外観を示す斜視図である。図３は、本実施の形態に係る照明装置１の分解斜視図である。
【００１５】
図１〜図３に示すように、照明装置１は、筐体１０と、発光モジュール２０と、光反射部材３０と、光拡散部材４０と、制御部５０と、電源部６０とを備える。
【００１６】
筐体１０は、発光モジュール２０と、光反射部材３０と、光拡散部材４０と、制御部５０と、電源部６０とを収容する収容体である。
【００１７】
図１に示すように、筐体１０は、扁平な箱体であり、平面視で略矩形状をなしている。なお、筐体１０の形状は、略矩形状に限らず、略円形状、略多角形状、略半円状等の形状でもよく、形状は特に限定されない。
【００１８】
筐体１０は、収容部１１と、枠部１２とを有する。
【００１９】
収容部１１は、発光モジュール２０と、光反射部材３０と、光拡散部材４０と、制御部５０と、電源部６０とを収容する扁平な箱体である。なお、制御部５０及び電源部６０は収容部１１に収容されていなくてもよく、例えば筐体１０の外側に配置されていてもよい。収容部１１は、床面側（Ｚ軸マイナス側）の面（以降、底面と記載する）に開口（以降、第１の開口と記載する）を有しており、当該第１の開口を覆うように光拡散部材４０が収容される。つまり、第１の開口の大きさは、光拡散部材４０に対応した大きさである。本実施の形態では、第１の開口の平面視における形状は、略矩形状である。
【００２０】
枠部１２は、平面視で略矩形状をなした環状（枠状）の部材であり、収容部１１の底面の端縁に配置される。言い換えると、収容部１１の第１の開口を外側から囲むように、枠部１２は収容部１１の底面に配置される。そのため、照明装置１を平面視した場合、枠部１２の開口（以降、第２の開口と記載する）と第１の開口とは、略同一の形状となる。本実施の形態では、第２の開口の形状は第１の開口の形状と同じ略矩形状である。
【００２１】
光拡散部材４０から出射された光は、当該第２の開口を通過する。なお、枠部１２の形状は、光拡散部材４０から出射される光を通過できれば略矩形状に限らず、略円形状、略多角形状、略半円状等の形状でもよく、形状は特に限定されない。例えば、枠部１２は、平面視において、外郭が収容部１１と同じ形状でもよい。
【００２２】
枠部１２は、底面部１２ａと、立ち上がり部１２ｂとを有する。照明装置１は、例えば、底面部１２ａが天井面と面一となるように天井面に埋め込まれる。つまり、底面部１２ａは、ユーザから見ることができる面である。そのため、底面部１２ａは、天井面と違和感なくデザインされるとよい。例えば、底面部１２ａは、天井の模様又は窓枠を模したデザインであってもよい。なお、天井面は造営材の設置面の一例である。
【００２３】
立ち上がり部１２ｂは、底面部１２ａの第２の開口側の端部から床面とは逆側（Ｚ軸プラス側の方向）に向かって略鉛直に形成されている。もし、立ち上がり部１２ｂが形成されておらず、光拡散部材４０が天井と面一で配置されている場合、ユーザは天井が薄い板（例えば、光拡散部材４０の厚み程度の薄い板）に見えてしまい、建築物である窓としてのリアリティを感じることが困難となる。そのため、本実施の形態では、よりリアリティのある窓を模擬する観点から、立ち上がり部１２ｂが設けられる。例えば、立ち上がり部１２ｂの高さ（Ｚ軸方向の長さ）は、ユーザが照明装置１が埋め込まれた天井に板厚を感じることができる程度の高さである。例えば、立ち上がり部１２ｂの高さは、３０ｍｍ以上であり、屋根から天井までの厚みと同程度であってもよい。
【００２４】
筐体１０は、例えば金属材料又は高い熱伝導性を有する非金属材料によって構成される。高い熱伝導性を有する非金属材料とは、例えば、熱伝導率が高い樹脂（高熱伝導性樹脂）などである。筐体１０として熱伝導性の高い材料を用いることで、発光モジュール２０が発する熱を、筐体１０を介して外部に放熱することができる。なお、収容部１１と枠部１２とは、それぞれ別の材料で構成されていてもよい。
【００２５】
なお、立ち上がり部１２ｂには、光拡散部材４０から出射された光の一部が入射する。当該光を有効に利用するため、立ち上がり部１２ｂは光反射性を有する材料で構成されるとよい。立ち上がり部１２ｂは金属材料又は光反射率の高い材料で構成されるとよい。例えば、立ち上がり部１２ｂは、硬質の樹脂材料を用いて形成され、銀又はアルミニウムなどの金属材料からなる金属蒸着膜（金属反射膜）が形成されていてもよい。
【００２６】
なお、収容部１１と枠部１２とが一体的に形成され筐体１０を構成してもよいし、収容部１１と枠部１２とは別体であり、収容部１１と枠部１２とを接着することで筐体１０を構成してもよい。
【００２７】
図２に示すように、発光モジュール２０は、表示像を形成するための疑似屋外光を出射する光源である。発光モジュール２０は、光反射部材３０の光拡散部材４０とは逆側の端部（Ｚ軸プラス側の端部）に固定される。また、図３に示すように、発光モジュール２０は、基板２１と基板２１に実装された複数の発光素子２２とで構成されている。
【００２８】
基板２１は、複数の発光素子２２を実装するためのプリント配線基板であり、略矩形状に形成されている。基板２１としては、例えば、樹脂をベースとする樹脂基板、金属をベースとするメタルベース基板、セラミックからなるセラミック基板等を用いることができる。
【００２９】
本実施の形態に係る照明装置１には、基板２１と、透光性及び光拡散性を有する光拡散部材４０との間に鏡面反射層が配置される。鏡面反射層は、光拡散部材４０側から鏡面反射層に入射した光を鏡面反射する光学部材である。鏡面反射層について、図４を参照しながら説明する。図４は、図２のＩＶ−ＩＶ線における、本実施の形態に係る照明装置１の断面図である。なお、図４の実線及び破線は光を示しており、実線は発光素子２２から出射された光（出射光Ｗ）であり、破線は反射された光を示している。より具体的には、破線の反射光Ｒ１は出射光のうちの光拡散部材４０で反射された光を示しており、破線の反射光Ｒ２は、反射光Ｒ１のうちの鏡面反射層２３で反射された光を示している。なお、鏡面反射層２３は、鏡面反射部材の一例である。
【００３０】
鏡面反射層２３は、発光素子２２を基板２１に実装する前に基板２１の光拡散部材４０側の面（本実施の形態では、発光素子２２を実装する面）に対して、鏡面塗装を行うことで形成される。鏡面塗装とは、鏡面塗料（例えば、アルミ片を含んだ塗料）を塗布する又は吹き付けることを含む。なお、基板２１を平面視した場合、鏡面反射層２３は発光素子２２及び電極（図示しない）と重ならない領域に形成される。また、鏡面反射層２３は、基板２１の光拡散部材４０側の表面に形成された配線（図示しないが、後述する電力線及び制御線を含む配線）などの導電体に対して絶縁層を介して形成される。言い換えると、鏡面反射層２３は、発光素子２２及び電極を除く基板２１を覆うように形成される。
【００３１】
また、鏡面反射層２３の光反射率は、例えば、８０％以上である。
【００３２】
上記のような鏡面反射層２３に光拡散部材４０側から光が入射すると、鏡面反射層２３により当該光は光拡散部材４０側に鏡面反射される。例えば、図４に示すように、発光モジュール２０から出射された出射光Ｗの一部は、光拡散部材４０により発光モジュール２０側に反射される。本実施の形態に係る照明装置１は、鏡面反射層２３を有しているので光拡散部材４０で反射された反射光Ｒ１を鏡面反射層２３により光拡散部材４０側に鏡面反射させる。つまり、鏡面反射層２３は、発光モジュール２０から出射された光を反射する反射部材である。これにより、出射光Ｗのうち光拡散部材４０を透過した光と、鏡面反射層２３で鏡面反射された反射光Ｒ２のうち光拡散部材４０を透過した光とで表示像が形成される。言い換えると、照明装置１が鏡面反射層２３を有していることで、光拡散部材４０で反射された反射光Ｒ２を表示像を形成するための光として有効に利用することができる。
【００３３】
なお、図４では、反射光Ｒ２として光拡散部材４０を透過する光のみを図示しているが、反射光Ｒ２の一部は光拡散部材４０により発光モジュール２０側に反射される。鏡面反射層２３は、当該反射光をさらに鏡面反射させる。発光モジュール２０と光拡散部材４０との間で、上記のような反射が繰り返し起こる。
【００３４】
なお、従来では、基板の発光素子が実装されている面（本実施の形態では、床面側の面）には、光を拡散反射するための光拡散層（例えば、シリカ粒子などの光反射性微粒子が分散された白色の層）又は光を吸収するための光吸収層（例えば、光を吸収する黒色の層）が形成されることがある。しかし、このような構成では、発光モジュールから出射され光拡散部材で発光モジュール側に反射された光を表示像に有効に利用することができない。
【００３５】
例えば、基板に光拡散層が配置されている場合、光反射部材で反射された反射光は当該光拡散層で拡散反射される。そのため、発光モジュールから出射され光拡散部材を透過した光で形成される表示像と、光拡散層で拡散反射された後に光拡散部材を透過した光で形成される表示像とは、ボケ度合が異なる像となる。そのため、室内から窓を通して見た空とは異なる表示像となり、ユーザは違和感をもつ場合がある。
【００３６】
本実施の形態では、実際の空により近い表示像を再現するため、鏡面反射層２３を配置して入射した光を鏡面反射させる点に特徴を有する。これにより、発光モジュール２０から出射され光拡散部材４０を透過した光で形成される表示像（以降、第１の表示像とも記載する）と、鏡面反射層２３で鏡面反射された後に光拡散部材４０を透過した光で形成される表示像（以降、第２の表示像とも記載する）とは、ボケ度合が略等しい像となる。なお、第２の表示像とは、鏡面反射層２３で少なくとも１回鏡面反射された後に光拡散部材４０を透過した光で形成される像である。上記で説明したように、鏡面反射層２３と光拡散部材４０との間では、無数の反射が起こる。そのため、第２の表示像は、複数の奥行き感の異なる像から構成される。
【００３７】
発光素子２２は、ＬＥＤ（Ｌｉｇｈｔ  Ｅｍｉｔｔｉｎｇ  Ｄｉｏｄｅ）素子で構成されている。本実施の形態では、発光素子２２は、青色光、緑色光及び赤色光（つまり、光の３原色）を発光するＲＧＢタイプのＬＥＤ素子である。なお、発光素子２２は、ＲＧＢタイプのＬＥＤ素子に限定されない。例えば、青色光、緑色光、赤色光及び白色光を発光するＲＧＢＷタイプのＬＥＤ素子であってもよいし、青色光及び白色光を発光するＬＥＤ素子であってもよい。また、それ以外のＬＥＤ素子であってもよい。発光素子２２は、基板２１の床面側の面に複数配置されている。例えば、複数の発光素子２２は、基板２１の床面側の面に、行列状に配置されている。例えば、複数の発光素子２２はそれぞれ、等間隔ごとに配置されている。
【００３８】
なお、ＬＥＤ素子は、ＳＭＤ（Ｓｕｒｆａｃｅ  Ｍｏｕｎｔ  Ｄｅｖｉｃｅ）型のＬＥＤ素子であってもよいし、ＣＯＢ（Ｃｈｉｐ  Ｏｎ  Ｂｏａｒｄ）型のＬＥＤ素子であってもよい。
【００３９】
また、図示しないが、基板２１には、制御部５０からの制御信号を伝送するための配線である制御線及び電源部６０からの電力を供給するための配線である電力線が形成されている。例えば、制御線及び電力線は、複数の発光素子２２のそれぞれを直列に接続するように形成されている。複数の発光素子２２のそれぞれは、電力線を介して電源部６０から電力の供給を受け、制御線からの制御信号に基づいて所定の光を発する。本実施の形態では、発光素子２２はＲＧＢタイプのＬＥＤ素子であることから、青色光、緑色光及び赤色光の明るさを調整することで様々な色の光を出射することができる。これにより、発光素子２２は、例えば、青空、曇り空、夕焼けなどを模した疑似屋外光を出射することができる。
【００４０】
図３に示すように、光反射部材３０は、複数の発光素子２２を囲むように配置され、発光素子２２から出射された光に対して反射性を有する光学部材である。つまり、光反射部材３０は、発光素子２２から出射され光反射部材３０に入射した光を反射する。具体的には、光反射部材３０は、発光素子２２から光反射部材３０の内面（言い換えると、光反射部材３０の発光素子２２側の面）に入射した光を、光拡散部材４０側に反射する。
【００４１】
本実施の形態では、光反射部材３０は、複数の発光素子２２を囲む壁部３１から構成されている。つまり、光反射部材３０は、複数の発光素子２２を囲む枠状の部材である。なお、光反射部材３０の形状は枠状に限定されない。光反射部材３０は複数の発光素子２２を囲む壁部３１を有していれば、形状は特に限定されない。
【００４２】
ユーザは、発光素子２２から出射され壁部３１を介さずに光拡散部材４０に入射した光が形成する表示像（以降、実像とも記載する）、及び、発光素子２２から出射され壁部３１で反射して光拡散部材４０に入射した光が形成する表示像（以降、反射像とも記載する）で形成される表示像を見ることができる。言い換えると、実像と反射像とで１つの表示像が形成される。光反射部材３０が形成されていない場合、表示像は実像のみで形成され、形成される表示像は基板２１の大きさ程度となる。一方、実像と反射像とで表示像が形成される場合、基板２１の大きさより広い表示像を再現することができる。例えば、無限に広がるような表示像（例えば、無限に広がるような青空）を再現することができる。さらに、光反射部材３０を設けることで、より広い範囲の表示像を再現することができるので、基板２１を小さくすることが可能となる。つまり、照明装置１を小型化できる。また、発光モジュール２０に実装する発光素子２２の数を減らすことが可能となる。
【００４３】
光反射部材３０は、例えばアルミニウム（ＡＩ）などの金属材料で形成された鏡面を有する反射板に対して拡散処理を施すことで形成される。拡散処理とは、例えば、アルマイト処理などのつや消し処理である。なお、拡散処理は、少なくとも光反射部材３０（壁部３１）の内面に施されていればよい。壁部３１が鏡面である場合、壁部３１により反射された光で形成される反射像は、鏡像となる。ユーザは、当該反射像が鏡像であると認識しやすくなり、空を模擬する効果が低下する。一方、上記に示したように、つや消し処理を行うことで、反射像は少しボケた像となる。これにより、ユーザは反射像が鏡像であると認識しにくくなり、表示像に違和感を感じにくくなる。
【００４４】
なお、光反射部材３０に施される拡散処理には、白色処理は含まれない。光反射部材３０が白色系反射板であると、白色系反射板で反射された光は略均質に光るため、例えば、反射像の空と雲との解像感が失われ、空を模擬する効果が低下してしまう。また、光反射部材３０の内面（発光素子２２側の面）は、鏡面であってもよい。光反射部材３０の内面が鏡面である場合、上記でも説明したように、実像と反射像との明るさは連続性を有しており、光反射部材３０が白色である場合に比べ違和感の少ない表示像を再現することができる。また、発光モジュール２０から光反射部材３０に入射した光を光拡散部材４０側に全反射することができるので、発光モジュール２０からの光のロスを低減することができる。
【００４５】
ここで、光反射部材３０（壁部３１）の高さ（Ｚ軸方向の長さ）について説明する。例えば、光反射部材３０の高さが低いと、発光素子２２が粒状に見えてしまい、ユーザは表示像に違和感を感じやすくなる。一方、光反射部材３０の高さが高いと発光素子２２が粒状に見えることは抑制できるが、照明装置１が大型化してしまう。また、発光素子２２が粒状に見えるか否かは、発光素子２２が実装されるピッチ、及び、光拡散部材４０のヘイズ値にも影響を受ける。言い換えると、発光素子２２が粒状に見えないように、光反射部材３０の高さ、発光素子２２が実装されるピッチ及び光拡散部材４０のヘイズ値が設定される。
【００４６】
なお、光反射部材３０の高さが低い（言い換えると、発光モジュール２０と光拡散部材４０との距離が小さい）と、再現される表示像が平面的な像となってしまう。そのため、奥行き感のある表示像を再現する観点から、光反射部材３０の高さは高く設定されるとよい。
【００４７】
光拡散部材４０は、発光モジュール２０側から入射した光を拡散して床面側に出射する光学部材である。具体的には、光拡散部材４０は、光拡散部材４０の光入射面４１（Ｚ軸プラス側の面）から入射した光を拡散し、光出射面４２から出射する拡散パネルである。
【００４８】
光拡散部材４０は、発光モジュール２０から出射された光に対して、透光性、及び、光を拡散させる光拡散性を有している。例えば、光拡散部材４０は、透明なアクリル若しくはＰＥＴ（Ｐｏｌｙ  Ｅｔｈｙｌｅｎｅ  Ｔｅｒｅｐｈｔｈａｌａｔｅ）などの樹脂材料、又はガラスから構成された透明板に拡散加工が施されることで作製される。光拡散部材４０が透明な材料から構成されることで、当該光拡散部材４０は高い透過率を有する。例えば、光拡散部材４０の全光線透過率は、８０％以上であり、より好ましくは９０％以上である。これにより、光拡散部材４０による光のロスを低減し、明るい表示像を再現することができる。
【００４９】
そして、透明板に拡散加工が施されることで、光拡散部材４０が作製される。拡散加工は、光拡散部材４０の光入射面４１及び光出射面４２の少なくとも一方の面に施される。例えば、拡散加工として、微細なドット状の穴（凹部）からなるプリズムを形成するプリズム処理などがある。微細な穴とは、ユーザが視認できない程度の大きさの穴であり、例えば微細な穴は、円錐形又は角錐形などである。例えば、円錐形である場合の微細な穴の頂部と底面とで規定される深さ（円錐形の高さ）、及び、微細な穴の底面の直径は１００μｍ以下である。これにより、ユーザには微細な穴（プリズム）が見えないので、照明装置１は室内から窓を通して空を見るような感覚をユーザに疑似体験させることができる。なお、プリズムの形状又は大きさは上記に限定されず、光拡散部材４０のヘイズ値により適宜決定される。また、拡散加工はプリズム処理に限定されず、シボ加工又は印刷により行われてもよい。
【００５０】
拡散加工が施された光拡散部材４０のヘイズ値は、例えば１０％以上９０％以下である。ヘイズ値を１０％以上とすることで、光拡散部材４０が透明な材料で構成されていても、ユーザから発光モジュール２０の発光素子２２が粒状に見えることを抑制できる。また、ヘイズ値を９０％以下とすることで、再現する表示像の輪郭（例えば、青空の中にある雲の輪郭）をある程度保つことができる。なお、ヘイズ値は、例えばプリズム処理により形成されるプリズムの形状及び大きさなどにより調整が可能である。
【００５１】
また、光拡散部材４０の発光モジュール２０側の面（光入射面４１）は、平滑な面である。平滑な面とは、例えば、表面粗さＲａが５以下の面である。光拡散部材４０の発光モジュール２０側の面を平滑な面とすることで、図４に示す出射光Ｗのうち反射光Ｒ１の割合を増やすことができる。例えば、平滑な面を有する光反射部材３０の光反射率の一例は、約５％である。つまり、出射光Ｗのうち、光拡散部材４０を透過する光の割合は光拡散部材４０で反射される光（反射光Ｒ１）の割合より多い。
【００５２】
光拡散部材４０の発光モジュール２０側の面に形成される平滑な面は、光拡散部材４０の発光モジュール２０側の面を研磨加工するなどにより実現されてもよいし、光拡散部材４０の発光モジュール２０側の面に、平滑化するための表面コーティングを施すことで実現されてもよい。又は、透明なフィルムを貼り付けることで、実現されてもよい。
【００５３】
このような構成によれば、発光モジュール２０から出射され光拡散部材４０を透過した光で形成される第１の表示像と、鏡面反射層２３で鏡面反射された後に光拡散部材４０を透過した光で形成される第２の表示像とは、奥行き感が異なる像となる。第１の表示像は、第２の表示像より明るく、かつ第２の表示像より手前側に見える像である。また、第２の表示像は第１の表示像より暗く、かつ第１の表示像より奥側に見える像である。つまり、ユーザは、明るい第１の表示像の奥に第１の表示像より暗い第２の表示像を見ることができる。第２の表示像が形成されることで、ユーザは第１の表示像及び第２の表示像で形成される表示像に奥行き感（立体感）を感じやすくなる。
【００５４】
なお、光拡散部材４０の光反射率は、５％に限定されず、平滑な面の表面粗さなどにより調整が可能である。光反射部材３０の光反射率は、違和感の少ない表示像を再現できる光反射率であればよく、例えば１０％又は２０％でもよい。
【００５５】
なお、光拡散部材４０の発光モジュール２０側の面に拡散加工が施されている場合、当該拡散加工が施された面に透明なフィルムなどを配置することで平滑な面を形成してもよい。
【００５６】
さらに、光拡散部材４０の床面側の面（言い換えると、発光モジュール２０からの光が出射する面）には、外光により筐体１０の立ち上がり部１２ｂが光拡散部材４０に映り込むことを抑制するために、反射防止処理が施されている。反射防止処理について、図５を参照しながら説明する。図５は、反射防止層４４の有無による光拡散部材４０への立ち上がり部１２ｂの映り込みを説明するための図であり、図１のＶ−Ｖ線における、本実施の形態に係る照明装置１の部分拡大断面図である。具体的には、図５の（ａ）は、光拡散部材４０に反射防止処理が施されていない場合の映り込みを説明するための図である。図５の（ｂ）は、光拡散部材４０に反射防止処理が施されている場合の映り込みを説明するための図である。なお、便宜上、図５の（ａ）では、図５の（ｂ）と同一の構成については、同一の符号を付している。
【００５７】
まず、図５の（ａ）に示すように、光拡散部材４０に反射防止処理が施されていない（言い換えると、光拡散部材４０が基材４３から構成されている）場合について説明する。なお、基材４３とは、透明なアクリル若しくはＰＥＴなどの樹脂材料、又はガラスから構成された透明板などである。
【００５８】
床面側から筐体１０の立ち上がり部１２ｂに入射した外光Ｌは立ち上がり部１２ｂで反射される。例えば、外光Ｌは立ち上がり部１２ｂで拡散反射される。つまり、外光Ｌのうち少なくとも一部の光は、光拡散部材４０側に反射される。比較例に係る照明装置では光拡散部材４０の床面側の面に反射防止処理が施されていないので、光拡散部材４０に入射した光（外光Ｌの一部）は、光拡散部材４０により床面側に反射される。ユーザは、光拡散部材４０で反射された反射光Ｒ３を見ることで、光拡散部材４０に立ち上がり部１２ｂの映り込みが見える。
【００５９】
立ち上がり部１２ｂの映り込みは、照明装置が消灯しているとき及び点灯しているときの両方で発生する。照明装置が消灯しているときの立ち上がり部１２ｂの映り込みにより、照明装置の美観が損われる場合がある。また、照明装置が点灯しているときの立ち上がり部１２ｂの映り込みにより、映り込みが発生している領域では、当該映り込みと表示像とが重なっている像が見えることになり、ユーザは当該表示像に違和感を感じることがある。
【００６０】
なお、外光Ｌは、照明装置が出射する光以外の光であり、照明装置に入射する光である。例えば、外光Ｌとは、太陽光や照明光などである。
【００６１】
一方、図５の（ｂ）に示すように、光拡散部材４０の床面側の面に反射防止処理により形成された反射防止層４４が配置されている（言い換えると、光拡散部材４０が基材４３及び反射防止層４４から構成されている）場合について説明する。反射防止層４４は、透明であり、立ち上がり部１２ｂで反射した外光Ｌが光拡散部材４０の床面側の面で反射することを抑制する光学部材である。例えば、反射防止層４４とは、ＡＲ（Ａｎｔｉ  Ｒｅｆｌｅｃｔｉｖｅ）コート処理により形成されるＡＲコート層又は反射防止機能を有するフィルムの貼り付けにより形成される反射防止フィルム層などである。
【００６２】
このような構成によれば、立ち上がり部１２ｂから光拡散部材４０に入射した光（外光Ｌの一部）が床面側に反射されることを抑制できる。上記で説明したように、外光Ｌにより筐体１０の立ち上がり部１２ｂが光拡散部材４０に映り込む現象は、照明装置１が点灯している状態、及び消灯している状態の両方で発生する。そのため、光拡散部材４０の床面側の面に反射防止層４４が配置されていることで、照明装置１の点灯時及び消灯時の両方の見栄えを改善することができる。
【００６３】
なお、本実施の形態では、反射防止層４４が配置されており、反射防止層４４は一例としてＡＲコート層である。また、図５の（ａ）に示す反射防止層４４が配置されていない光拡散部材４０を備える照明装置１も、本願発明に含まれる。
【００６４】
なお、光拡散部材４０は、透明板（例えば、透明なアクリル板）に拡散加工が施されることに限定されない。例えば、光拡散部材４０は、透明板に拡散シートを設けることで構成されてもよい。この場合、透明板の床面側又は発光モジュール２０側の少なくとも一方の面に拡散シートが設けられてもよい。
【００６５】
上記に説明したように、光拡散部材４０は高い全光線透過率及び高いヘイズ値を有する。なお、光拡散部材４０は、光拡散材（例えば、シリカ粒子などの光反射性微粒子）が内部に分散された乳白色の拡散板であってもよい。このような拡散板は、光拡散材を混合した透光性樹脂材料を所定形状に樹脂成型することによって作製される。なお、光拡散部材４０は、乳白色であってもよいが、光の損失を低減する観点から透明な樹脂材料などに拡散処理が施されたものを用いるとよい。
【００６６】
光拡散部材４０は、平面視において矩形状の板材である。光拡散部材４０は、光反射部材３０の発光モジュール２０とは逆側の端部（Ｚ軸マイナス側の端部）に固定される。言い換えると、光拡散部材４０は、発光モジュール２０と対向しており、発光モジュール２０を覆うように配置されている。また、図１に示すように、光拡散部材４０は、筐体１０の第１の開口を覆うように配置されている。そのため、ユーザが天井を見上げた場合、照明装置１のうち、枠部１２の底面部１２ａ及び立ち上がり部１２ｂと、光拡散部材４０とを視認することができる。
【００６７】
制御部５０は、ユーザからの指示（例えば、リモコンなどによる指示）に従って、発光モジュール２０の点灯、消灯、調光、及び調色（発光色又は色温度の調整）などの動作を制御する制御装置である。例えば、制御部５０は、記憶部（図示しない）に記憶された表示像に関する情報を取得し、当該情報に応じて表示像を再現する。例えば、制御部５０はユーザから表示像として青空を表示する指示を受けた場合、記憶部から青空に関する情報を取得し、取得した情報をもとに発光モジュール２０を制御する。なお、制御部５０と発光モジュール２０（複数の発光素子２２）とは、制御線により電気的に接続されている。
【００６８】
本実施の形態では、発光素子２２はＲＧＢタイプのＬＥＤ素子である。そのため、制御部５０は、ユーザからの指示に応じて、青色ＬＥＤ、緑色ＬＥＤ及び赤色ＬＥＤそれぞれの明るさに関する情報を含む制御信号を制御線を介して発光素子２２に出力する。制御信号を受信した発光素子２２は、当該制御信号に基づいて青色、緑色及び赤色を発光する。
【００６９】
制御部５０は、例えば表示像の動きが不自然にならないような時間間隔で、発光モジュール２０に対して制御信号を出力する。例えば、制御部５０は、制御信号を１秒間に約２０回出力する。これにより、例えば雲が動いている表示像などを再現する場合、より自然な動きを再現することができる。
【００７０】
制御部５０は、マイクロコンピュータ、プロセッサなど、又は専用回路によって実現される。
【００７１】
本実施の形態では、制御部５０は発光モジュール２０（基板２１）の光拡散部材４０とは反対側の面に配置されている。
【００７２】
電源部６０は、電力系統（例えば、商用電源）などから供給される交流電力を直流電力に変換する電力変換部（例えば、電力変換回路）、及び、発光モジュール２０（複数の発光素子２２）を発光させるための電力を生成する電源回路によって構成されている。電源部６０は、例えば、商用電源から供給される交流電力を、整流、平滑及び降圧等して所定レベルの直流電力に変換し、当該直流電力を発光モジュール２０に供給する。電源部６０は、電力系統と電力線等によって電気的に接続される。
【００７３】
本実施の形態では、電源部６０は発光モジュール２０の光拡散部材４０とは反対側の面に配置されている。つまり、制御部５０と電源部６０とは、同一平面上に配置されている。
【００７４】
このように構成された照明装置１は、例えば、天井に埋め込まれて使用される。例えば、図６に示すように、照明装置１は部屋の天井７０に埋め込まれて使用される。図６は、本実施の形態に係る照明装置１の設置例を示すイメージ図である。照明装置１により第１の表示像と第２の表示像とで奥行き感のある表示像が再現されるので、ユーザは、当該照明装置１を見上げることで、室内から窓を通して空を見るような表示像（言い換えると、違和感の少ない表示像）を見ることができる。なお、照明装置１は、例えば、自然の採光を得難い施設内又は地下街などに設置されてもよい。
【００７５】
［２．効果など］
次に、本実施の形態に係る照明装置１の効果について説明する。
【００７６】
本実施の形態に係る照明装置１は、天井７０（造営材の一例）に埋め込まれる埋込型の照明装置１であって、基板２１及び基板２１に配置された複数の発光素子２２を有する発光モジュール２０と、透光性を有し、発光モジュール２０を覆う光拡散部材４０と、発光モジュール２０と光拡散部材４０との間に配置された鏡面反射層２３（鏡面反射部材の一例）と、を備える。発光モジュール２０は、光拡散部材４０に向けて光を出射し、鏡面反射層２３は、光拡散部材４０からの光を反射する。
【００７７】
これにより、発光素子２２から出射され光拡散部材４０の発光モジュール２０側の面で反射した光（例えば、反射光Ｒ１）は、鏡面反射層２３（光反射部材の一例）により光拡散部材４０側に反射される。つまり、ユーザは、発光モジュール２０から出射され光拡散部材４０を透過した光で形成される第１の表示像と、発光モジュール２０から出射され光拡散部材４０及び鏡面反射層２３で反射したのち光拡散部材４０を透過した光で形成される第２の表示像とを見ることができる。言い換えると、ユーザは、第１の表示像及び第２の表示像で形成される１つの表示像を見ることができる。第２の表示像を形成する光は、光拡散部材４０及び鏡面反射層２３で反射される分、第１の表示像を形成する光より発光モジュール２０及び光拡散部材４０の間で伝搬する距離が長い。そのため、第２の表示像は、ユーザから見て第１の表示像より奥側に像が形成される。つまり、第２の表示像が形成されることで、照明装置を大型化することなく、より奥行き感のある表示像を再現することが可能となる。よって、本実施の形態に係る照明装置１によれば、違和感が低減された表示像を再現することができる。
【００７８】
また、鏡面反射部材は、基板２１の光拡散部材４０側の面に配置された鏡面反射層２３である。
【００７９】
これにより、鏡面反射層２３により光拡散部材４０で反射された光をさらに光拡散部材４０側に反射することができる。つまり、基板２１の光拡散部材４０側の表面に鏡面反射層２３を配置するだけで、照明装置が大型化せずに奥行き感のある表示像を再現することができる。
【００８０】
また、光拡散部材４０の発光モジュール２０側の面は、平滑な面である。
【００８１】
これにより、発光モジュール２０から出射され光拡散部材４０の発光モジュール２０側の面で反射する光の割合を増やすことができる。つまり、反射光Ｒ２のうち光拡散部材４０を透過した光で形成される第２の表示像をより明るい像とすることができる。よって、光拡散部材４０の発光モジュール２０側の面が平滑な面でない場合に比べ、第１の表示像と第２の表示像との明るさの差を小さくすることができるので、より違和感が低減された表示像を再現することができる。
【００８２】
また、光拡散部材４０の発光モジュール２０とは逆側の面に、反射防止層４４を有する。
【００８３】
これにより、立ち上がり部１２ｂで反射した外光が光拡散部材４０の発光モジュール２０とは逆側の面（床面側の面）に入射した場合、当該入射した光が光拡散部材４０で床面側に反射されることを抑制できる。つまり、立ち上がり部１２ｂが光拡散部材４０に映り込むことを抑制できる。外光による立ち上がり部１２ｂの光拡散部材４０への映り込みは、照明装置１が点灯しているとき及び消灯しているときの両方で生じる。そのため、光拡散部材４０の床面側の面に反射防止層４４を配置することで、照明装置１が点灯しているときの表示像の違和感を低減することができ、かつ照明装置１が消灯しているときの照明装置１の美観を向上させることができる。なお、立ち上がり部１２ｂは照明装置１が備えていてもよく、造営材により形成されていてもよい。
【００８４】
（実施の形態２）
以下、本実施の形態に係る照明装置について、図７Ａ〜図８を参照しながら説明する。図７Ａは、図２のＩＶ−ＩＶ線に対応する、本実施の形態に係る照明装置１ａの断面図である。図８は、図２の光拡散部材４０を省略した状態での、本実施の形態に係る照明装置１ａを示す部分平面図である。なお、本実施の形態では、実施の形態１との相違点を中心に説明し、共通の構成については説明を省略又は簡略化する。本実施の形態に係る照明装置１ａは、鏡面反射部材が複数の孔を有する金属板で構成されている点が主に実施の形態１とは異なる。
【００８５】
図７Ａ及び図８に示すように、本実施の形態に係る照明装置１ａは、基板２１の光拡散部材４０側に光拡散部材４０で反射された反射光Ｒ１を鏡面反射するためのパンチングメタル１２３を有する。パンチングメタル１２３は、鏡面反射部材の一例である。また、パンチングメタル１２３は、複数の孔を有する金属板の一例である。
【００８６】
パンチングメタル１２３は、発光モジュール２０から出射される光に対する反射性を有している。パンチングメタル１２３は、発光モジュール２０から出射される光に対して高い反射率を有する材料から形成されるとよい。例えば、パンチングメタル１２３は、銅板、ステンレス板、又はアルミ板などの金属板に複数の孔１２３ａが形成されることで作製される。なお、鏡面反射部材は、金属板から形成されることに限定されない。例えば、ガラス製又は樹脂製の板にアルミなどを蒸着することにより鏡面を形成したものを鏡面反射部材として用いてもよい。なお、その場合も複数の発光素子２２のそれぞれに対応する位置に孔が形成される。
【００８７】
図７Ａに示すように、パンチングメタル１２３は、基板２１と光拡散部材４０との間であり、基板２１に近い位置に配置される。本実施の形態では、パンチングメタル１２３は、基板２１の近傍に配置される。パンチングメタル１２３に形成されている複数の孔１２３ａは、発光素子２２から出射された光を光拡散部材４０側に透過するための孔である。つまり、パンチングメタル１２３は、発光素子２２から出射された光を遮らないように配置されている。そのため、パンチングメタル１２３に形成される複数の孔１２３ａは、複数の発光素子２２のそれぞれに対応して形成される。例えば、図８に示すように、複数の孔１２３ａのそれぞれは、発光素子２２と一対一に形成される。なお、孔１２３ａの形状は、例えば、平面視において略円形状である。
【００８８】
また、平面視において、複数の孔１２３ａは、発光素子２２を覆うように形成されている。また、平面視における発光素子２２の面積より孔１２３ａの面積の方が広い。これは、発光素子２２から出射された光がパンチングメタル１２３の発光モジュール２０側の面に入射することで、表示像を再現するための光が減少することを抑制するためである。孔１２３ａの大きさは、例えば、発光素子２２の配光特性及びパンチングメタル１２３と発光モジュール２０との距離に応じて、適宜決定される。なお、パンチングメタル１２３は、例えば、光反射部材３０に固定される。
【００８９】
また、平面視において、孔１２３ａの中心と、発光素子２２の中心とが略一致するようにパンチングメタル１２３は基板２１の光拡散部材４０側に配置される。これにより、さらに表示像を再現するための光が減少することを抑制できる。
【００９０】
この構成によれば、発光モジュール２０から出射され光拡散部材４０で反射された光は、パンチングメタル１２３の光拡散部材４０側の面で光拡散部材４０側に鏡面反射される。なお、より奥行き感のある表示像を再現する観点から、パンチングメタル１２３は発光モジュール２０の近傍に配置されるとよい。
【００９１】
ここで、発光モジュール２０とパンチングメタル１２３との位置関係、及び、孔１２３ａの大きさについて、図７Ｂを参照しながら説明する。以下では、パンチングメタル１２３が発光素子２２の光拡散部材４０側の面（以降、発光面とも記載する）よりも光拡散部材４０側に配置されている場合について説明する。なお、パンチングメタル１２３が発光素子２２の発光面よりも基板２１側に配置されている場合には以下の内容は適用されなくてもよい。例えば、パンチングメタル１２３が発光素子２２の発光面よりも基板２１側に配置されている場合、パンチングメタル１２３に形成される孔１２３ａの平面視における大きさは、発光素子２２の大きさと略等しい大きさでもよい。
【００９２】
図７Ｂは、図７Ａの破線領域ＶＩＩｂにおける本実施の形態に係る照明装置１ａの拡大断面図である。
【００９３】
図７Ｂに示すように、パンチングメタル１２３に形成されている孔１２３ａの半径をｒ、行列状に配置されている発光素子２２間のピッチ（隣り合う発光素子２２間の距離）をｄ、発光素子２２から出射される光（出射光Ｗ）の１／２ビーム角をθ、基板２１とパンチングメタル１２３との距離をｈとすると、以下の関係が成り立つように発光モジュール２０とパンチングメタル１２３との位置関係（距離）、及び、孔１２３ａの大きさが決定される。
【００９４】
ｄ／２＞ｒ＞ｈ×ｔａｎθ                    ・・・（式１）
【００９５】
式１より、孔１２３ａの半径ｒは、発光素子２２のピッチｄの半分よりも小さく、かつ基板２１とパンチングメタル１２３との距離ｈ及び発光素子２２からの出射光Ｗの１／２ビーム角θから決まるｈ×ｔａｎθより大きい。式１を満たすようにパンチングメタル１２３に孔１２３ａが形成されることにより、パンチングメタル１２３が発光素子２２の発光面よりも光拡散部材４０側に配置されている場合であっても、当該パンチングメタル１２３により発光素子２２からの出射光Ｗが遮られることを抑制できる。
【００９６】
なお、隣り合う発光素子２２間のピッチｄは、平面視又は断面視において隣り合う発光素子２２それぞれの中心間の距離を示しており、例えば、隣り合う発光素子２２それぞれの光軸間の距離である。また、１／２ビーム角とは、発光素子２２の発光面から出る光の最大光度の１／２の光度となる方向を定め、その方向と光軸ａとがなす角度として定義される。
【００９７】
なお、上記式１は鏡面反射部材がパンチングメタル１２３である場合に限定されない。例えば、実施の形態１に係る鏡面反射層２３が発光素子２２の光拡散部材４０側の面よりも光拡散部材４０側に配置されている場合についても適用可能である。
【００９８】
なお、上記では、孔を有する金属板の一例として、金属板にパンチング加工することにより孔を形成するパンチングメタル１２３について説明したが、金属板に孔を形成する加工方法はこれに限定されない。例えば、切削加工により金属板に孔を形成してもよい。
【００９９】
なお、上記では、パンチングメタル１２３は基板２１と光拡散部材４０との間であり、基板２１に近い側に配置される例について説明したが、これに限定されない。例えば、パンチングメタル１２３は、基板２１の光拡散部材４０側の面と絶縁層を介して接するように配置されてもよい。また、その場合、パンチングメタル１２３の厚みは、発光素子２２の厚みより薄いとよい。
【０１００】
以上のように、本実施の形態に係る照明装置１ａが備える鏡面反射部材は、複数の発光素子２２に対応する位置に複数の孔１２３ａを有するパンチングメタル１２３（複数の孔を有する金属板の一例）である。
【０１０１】
これにより、鏡面反射部材が鏡面反射層２３である場合と同様の効果を奏する。
【０１０２】
また、複数の発光素子２２のうちの隣り合う２つの発光素子２２のピッチをｄ、複数の発光素子２２からの出射光の１／２ビーム角をθ、基板２１とパンチングメタル１２３との距離をｈとした場合、孔１２３ａの半径ｒは、
ｄ／２＞ｒ＞ｈ×ｔａｎθ                    ・・・（式１）
なる関係式により規定される。
【０１０３】
これにより、パンチングメタル１２３が発光素子２２の発光面よりも光拡散部材４０側に配置されている場合であっても、式１を満たす孔１２３ａを有するパンチングメタル１２３は発光素子２２からの出射光Ｗを遮ることを抑制できる。
【０１０４】
（その他の実施の形態）
以上、本発明について実施の形態に基づいて説明したが、本発明は、上記実施の形態に限定されない。
【０１０５】
例えば、上記実施の形態では、筐体は枠体を有する例について説明したが、これに限定されない。例えば、枠体は造営材の一部として構成されていてもよい。つまり、照明装置は枠体を備えておらず、造営材の一部である枠体に固定される。筐体が枠体を有している場合、例えば天井に照明装置を取り付けると、天井と枠体の底面との境目が見えてしまいユーザは違和感を感じることがある。一方、造営材の一部として枠体が構成されている場合、照明装置は枠体を有していないので、天井と照明装置との境目が見えて違和感を感じることを抑制できる。
【０１０６】
また、上記実施の形態では、基板と光拡散部材との間に鏡面反射部材が配置される例について説明したが、これに限定されない。例えば、基板が透明である場合、基板に対して光拡散部材とは逆側（Ｚ軸プラス側）に鏡面反射部材が配置されてもよい。言い換えると、鏡面反射部材と光反射部材との間に基板（発光モジュール）が配置されてもよい。なお、この場合、鏡面反射部材は孔を有していなくてもよい。
【０１０７】
また、上記実施の形態では、平面視においてパンチングメタルに形成されている孔は、発光素子より面積が広い例について説明したが、これに限定されない。例えば、発光モジュールとパンチングメタルとの間に発光モジュールから出射された光の配光特性を制御するレンズなどが配置されており、レンズを通過した光の配光特性に応じて孔の大きさが決定されてもよい。
【０１０８】
また、上記実施の形態では、パンチングメタルに形成される孔の形状は、平面視において略円形状である例について説明したが、これに限定されない。例えば、発光素子の配光特性に応じて適宜決定されてもよい。
【０１０９】
また、上記実施の形態では、照明装置は天井に埋め込まれる例について説明したが、これに限定されない。例えば、照明装置は壁などに埋め込まれてもよい。この場合、壁は造営材の一例である。
【０１１０】
また、上記実施の形態では、光反射部材の内面に施される拡散処理がつや消し処理である例について説明したが、これに限定されない。例えば、拡散処理として、ブラスト加工など光反射部材の内面を粗面化する処理であってもよい。
【０１１１】
また、上記実施の形態では照明装置は、光反射部材と筐体とを備える例について説明したが、これに限定されない。例えば、光反射部材が有底筒状であり光反射部材が各構成部を収容する場合、照明装置は、筐体を備えていなくてもよい。また、筐体の内側面（言い換えると、筐体が複数の発光素子を囲む枠体部を有し、当該枠体部の発光素子側の面）が光反射性を有する場合、照明装置は光反射部材を備えていなくてもよい。
【０１１２】
また、上記実施の形態では、光反射部材は壁部を有する枠状の部材である例について説明したが、これに限定されない。例えば、光反射部材の形状は、有底枠状であってもよい。その場合、発光モジュールは、基板に対して発光素子が光反射部材の開口側となるように配置される。また、有底枠状の光反射部材は、複数の発光素子を囲む壁部と、発光モジュールの発光素子が実装された面とは逆側の面を覆う底部とを有し、少なくとも壁部が発光素子が出射する光に対する反射性を有していればよい。光反射部材は、発光素子を囲み、光反射性を有する壁部を有していればよい。
【０１１３】
また、上記実施の形態では、光反射部材はアルミニウムなどの金属材料から構成された反射板である例について説明したが、これに限定されない。例えば、光反射部材は硬質の樹脂材料を用いて形成され、その内面にアルミニウムなどの金属材料からなる金属蒸着膜（金属反射膜）が形成されてもよい。また、アルミテープなどの金属製テープを樹脂材料で形成された樹脂板に接着することで光反射部材が形成されてもよい。
【０１１４】
また、上記実施の形態では、制御部はユーザの指示に応じた表示像を再現するように発光モジュールを制御する例について説明したが、これに限定されない。例えば、制御部は空の様子を撮影する撮影装置（例えば、カメラなど）から空の様子を取得し、取得した空の様子と類似した表示像を再現してもよい。これにより、室内で照明装置が再現した表示像と、屋外での実際の空模様とが似ているので、ユーザは屋内から屋外に出た、又は屋外から屋内に入ったときに違和感を感じることを低減することができる。
【０１１５】
また、上記実施の形態では、制御部はユーザの指示に応じた表示像を再現する例について説明したが、これに限定されない。例えば、制御部はタイマ機能を有しており、ユーザからの指示を受け付けたときの時刻に対応する表示像に関する情報を記憶部から取得し、取得した情報をもとに発光モジュールを制御してもよい。または、制御部は所定の時刻になると、当該所定の時刻に対応する表示像に関する情報を記憶部から取得し、取得した情報をもとに発光モジュールを制御してもよい。
【符号の説明】
【０１１６】
１、１ａ    照明装置
２０    発光モジュール
２１    基板
２２    発光素子
２３    鏡面反射層
４０    光拡散部材
４４    反射防止層
７０    天井（造営材）
１２３    パンチングメタル（金属板）
１２３ａ    孔
ｄ    ピッチ
θ    １／２ビーム角
ｈ    距離
ｒ    半径
【図１】
2018163869.tif 000003
【図２】
2018163869.tif 000004
【図３】
2018163869.tif 000005
【図４】
2018163869.tif 000006
【図５】
2018163869.tif 000007
【図６】
2018163869.tif 000008
【図７Ａ】
2018163869.tif 000009
【図７Ｂ】
2018163869.tif 000010
【図８】
2018163869.tif 000011